(57)【要約】【課題】表示部を見る観察者の疲労感を低減できる照明装置及び表示装置を提供する。【解決手段】照明装置は、光源部２１、表示部１００ａ又は表示部１００ａの外枠付近の輝度を設定する操作部１と、表示部１００ａ周辺における輝度を、表示部１００ａの外枠から離れるに従って操作部１によって設定された輝度から観察者が光を知覚できない輝度まで次第に低下させるコントローラ３を備える。コントローラ３は、表示部１００ａの外枠から観察者Ｐの誘導視野から補助視野までの範囲内において観察者Ｐが光を知覚できない輝度にするよう表示部１００ａを制御する。【選択図】図１
2014026094.tif 000002
【特許請求の範囲】
【請求項１】
照明部と、
予め設定された条件に基づいて、表示装置の表示部周辺における輝度を前記表示装置の表示部の外枠から離れるに従って観察者が光を認識できない輝度まで次第に低下させ、前記表示部の外枠から観察者の誘導視野から補助視野までの範囲内において観察者が光を認識できない輝度にするよう前記照明部を制御する制御部と
を備えることを特徴とする照明装置。
【請求項２】
前記制御部は、等輝度範囲を楕円形状とするよう前記照明部を制御することを特徴とする請求項１に記載の照明装置。
【請求項３】
前記制御部は、前記表示部の外枠付近の色度を前記表示装置の表示部の色度に合わせるように前記照明部を制御することを特徴とする請求項１又は請求項２に記載の照明装置。
【請求項４】
前記照明部は、間接光により前記表示部の周辺を照射することを特徴とする請求項１乃至３の何れか一項に記載の照明装置。
【請求項５】
前記制御部は、前記表示部周辺の輝度を予め設定した上限値以下に制限することを特徴とする請求項１乃至４の何れか一項に記載の照明装置。
【請求項６】
前記制御部は、前記表示装置のうちの表示部には光を照射しないよう前記照明部を制御することを特徴とする請求項１乃至請求項５の何れか一項に記載の照明装置。
【請求項７】
映像を表示する表示部と、
照明部と、
予め設定された条件に基づいて、前記表示部周辺における輝度を前記表示部の外枠から離れるに従って観察者が光を認識できない輝度まで次第に低下させ、前記表示部の外枠から観察者の誘導視野から補助視野までの範囲内において観察者が光を認識できない輝度にするよう前記照明部を制御する制御部と
を備えることを特徴とする表示装置。
【発明の詳細な説明】
【技術分野】
【０００１】
本発明は、光を発する照明装置及び照明する機能を備えた表示装置に関する。
【背景技術】
【０００２】
下記の特許文献１には、画像表示部の周囲に画像表示部で再生される内容に対応して輝度及び色相が制御される照明光提示部を有する周辺照明型表示装置が記載されている。
【先行技術文献】
【特許文献】
【０００３】
【特許文献１】特開昭54-102828号公報
【発明の概要】
【発明が解決しようとする課題】
【０００４】
特許文献１に記載された周辺照明型表示装置は、表示部の近傍と周辺部を一様に照明するので、最適な視聴位置における視聴者の視野範囲を考慮していない。このため、視聴者の視野には、照明光の縁が含まれる。このことから、特許文献１の周辺照明型表示装置は、映像を見る観察者が疲労しやすいといった問題がある。
【０００５】
そこで、本発明は、上述した実情に鑑みて提案されたものであり、表示部を見る観察者の疲労感を低減できる照明装置及び表示装置を提供することを目的とする。
【課題を解決するための手段】
【０００６】
本発明の第１の態様に係る照明装置は、照明部と、予め設定された条件に基づいて、表示装置の表示部周辺における輝度を前記表示装置の表示部の外枠から離れるに従って観察者が光を認識できない輝度まで次第に低下させ、前記表示部の外枠から観察者の誘導視野から補助視野までの範囲内において観察者が光を認識できない輝度にするよう前記照明部を制御する制御部とを備えることを特徴とする。
【０００７】
本発明の第２の態様に係る照明装置は、上記第１の態様の照明装置であって、前記制御部は、等輝度範囲を楕円形状とするよう前記照明部を制御することを特徴とする。
【０００８】
本発明の第３の態様に係る照明装置は、上記第１又は第２の態様の照明装置であって、前記制御部は、前記表示部の外枠付近の色度を前記表示装置の表示部の色度に合わせるように前記照明部を制御することを特徴とする。
【０００９】
本発明の第４の態様に係る照明装置は、上記第１乃至第３の何れかの態様の照明装置であって、前記照明部は、間接光により前記表示部の周辺を照射することを特徴とする。
【００１０】
本発明の第５の態様に係る照明装置は、上記第１乃至第４の何れかの態様の照明装置であって、前記制御部は、前記表示部周辺の輝度を予め設定した上限値以下に制限することを特徴とする。
【００１１】
本発明の第６の態様に係る照明装置は、上記第１乃至第５の何れかの態様の照明装置であって、前記制御部は、前記表示装置のうちの表示部には光を照射しないようにすることを特徴とする。
【００１２】
本発明の第７の態様に係る表示装置は、映像を表示する表示部と、照明部と、予め設定された条件に基づいて、前記表示部周辺における輝度を前記表示部の外枠から離れるに従って観察者が光を認識できない輝度まで次第に低下させ、前記表示部の外枠から観察者の誘導視野から補助視野までの範囲内において観察者が光を認識できない輝度にするよう前記照明部を制御する制御部とを備えることを特徴とする。
【発明の効果】
【００１３】
本発明によれば、表示部周辺における輝度を、表示装置の表示部の外枠から離れるに従い、次第に低下させ、表示部の外枠から観察者の誘導視野から補助視野までの範囲内において観察者が光を知覚できない輝度にするので、表示部とその周囲との明暗差を抑制して、表示部を見る観察者の疲労感を低減できる。
【図面の簡単な説明】
【００１４】
【図１】本発明の実施形態として示す照明装置の概略構成を示す正面図である。
【図２】本発明の実施形態として示す照明装置の構成を示す断面図である。
【図３】本発明の実施形態として示す照明装置の他の構成を示す断面図である。
【図４】本発明の実施形態として示す照明装置によって観察者に知覚させる輝度変化を説明する正面図である。
【図５】本発明の実施形態として示す照明装置によって観察者に知覚させる輝度変化を説明する正面図である。
【図６】観察者の視野特性を示す図である。
【図７】本発明の実施形態として示す照明装置によって観察者に知覚させる照明光の一例を示す正面図である。
【図８】本発明の実施形態として示す照明装置によって観察者に知覚させる照明光の一例を示す正面図である。
【図９】本発明の実施形態として示す照明装置によって観察者に知覚させる照明光の一例を示す正面図である。
【図１０】本発明の実施形態として示す照明装置によって観察者に知覚させる照明光の一例を示す正面図である。
【図１１】本発明の実施形態として示す照明装置によって観察者に知覚させる照明光の一例を示す正面図である。
【図１２】本発明の実施形態として示す照明装置によって観察者に知覚させる照明光の一例を示す正面図である。
【図１３】本発明の実施形態として示す照明装置においてレンズを備えた構成を示す断面図である。
【図１４】本発明の実施形態として示す照明装置においてレンズを備えた他の構成を示す断面図である。
【図１５】本発明の実施形態として示す照明装置において光拡散板を湾曲させた構成を示す断面図である。
【図１６】本発明の実施形態として示す照明装置においてスクリーンを湾曲させた構成を示す断面図である。
【図１７】本発明の実施形態として示す照明装置において間接光を利用する構成を示す断面図である。
【図１８】本発明の実施形態として示す照明装置において間接光を利用する他の構成を示す断面図である。
【発明を実施するための形態】
【００１５】
以下、本発明の実施の形態について図面を参照して説明する。
【００１６】
本発明の実施形態として示す照明装置は、例えば図１に示すように、表示装置としてのディスプレイ１００の周囲に対して、周辺照明部２によって照明光Ｌを照射するものである。特に、照明装置は、ディスプレイ１００から離れるに従って、照明光Ｌによって照明される周辺照明部２における輝度を次第に（滑らかに）低下させる。すなわち、照明装置は、鋭く輝度を変化させるのではく、滑らかに周辺照明部２の輝度を変化させる。これによって、観察者の視野Ｓ内でディスプレイ１００と背景との明暗差による眼への負担感を低減する。この照明装置は、観察者の周辺視野に含まれるディスプレイ１００の周囲に、眼の疲労感低減のための適切な照明を行うことができる。また、照明装置は、ディスプレイ１００が設置された部屋全体における照明による消費電力を低減できる。
【００１７】
なお、ディスプレイ１００は、リビング用の大画面テレビから、机上のパーソナルコンピュータ用のモニタ、ビデオカメラのビューファインダなど、様々なものに対して適用可能であることはいうまでもない。また、ディスプレイ１００と周辺照明部２及びコントローラ３とは図２等に示すように別個であってもよく、一体の表示装置となっていてもよい。
【００１８】
この照明装置は、例えば図２又は図３に示すように構成されている。図２に示す照明装置は、操作部１、周辺照明部２、及び、制御部としてのコントローラ３を含む。なお、図２は、ディスプレイ１００及び周辺照明部２の断面図であり、ディスプレイ１００及び周辺照明部２を側方から見たものである。
【００１９】
図２に示した照明装置は、照明光Ｌを照射して光拡散板２４を介して照明光Ｌを知覚させる構成を有している。
【００２０】
操作部１は、ディスプレイ１００の観察者Ｐに操作されるリモートコントローラである。操作部１は、観察者Ｐの操作を受け付けて、設定信号をコントローラ３に出力する。操作部１は、表示部１００ａの外枠近傍における周辺照明部２の輝度の設定値を設定する。ディスプレイ１００の輝度の設定値は、ディスプレイ１００の輝度設定値を参考に観察者Ｐが設定してもよい。また、表示部１００ａの内側の表示部分の近傍の輝度と目視で比較したりして、ディスプレイ１００の輝度値を設定してもよい。更に、ディスプレイ１００の使用用途に応じ、例えばＴＶ視聴であれば２００カンデラなどの輝度値に設定すればよい。
【００２１】
また、操作部１は、輝度のみならず色も設定してもよく、輝度又は色の何れか一方を設定するものであってもよい。
【００２２】
周辺照明部２は、図４又は図５に示すように、ディスプレイ１００の外枠から離れるに従って、照明光Ｌによって観察者Ｐに知覚される輝度を次第に低下させる。図４及び図５におけるＬａ、Ｌｂ、Ｌｃ、Ｌｄは、等輝度線である。周辺照明部２は、図４及び図５に示すように、輝度Ｌａ、Ｌｂ、Ｌｃ、Ｌｄとなるほど、光拡散板２４上にて観察者Ｐに知覚される輝度を低くする。
【００２３】
特に、周辺照明部２は、表示部１００ａ周辺における光拡散板２４上にて観察者Ｐに知覚される輝度を、表示部１００ａの外枠から離れるに従って、操作部１により設定された輝度から観察者Ｐが光を知覚できない輝度まで次第に低下させる。また、周辺照明部２は、観察者Ｐの誘導視野から補助視野の範囲内において観察者Ｐが光を知覚できない輝度にする。
【００２４】
周辺照明部２は、図４に示すように、ディスプレイ１００における全体の輝度に基づいて、観察者Ｐに知覚される輝度を一律に次第に低くしてもよい。又は、周辺照明部２は、図５に示すように、ディスプレイ１００の表示状態に基づいて、高輝度の表示部１００ｃがあることに応じて、等輝度線を変更してもよい。
【００２５】
周辺照明部２は、図２に示すように、上部２Ａ及び下部２Ｂを含み、図１のようにディスプレイ１００の表示部１００ａを囲うように設けられている。周辺照明部２は、照明部としての光源部２１、光遮蔽板２２、光遮蔽板２３、光拡散板２４を含む。なお、図２では、上部２Ａと下部２Ｂとで別個に光源部２１を示しているが、光源部２１は更に他に備えられていてもよいことは勿論である。また、周辺照明部２は、光源部２１からの配光を調節する反射板などの他の光学部品を備えていてもよい。
【００２６】
光源部２１は、光拡散板２４に向けて照明光Ｌを照射する。光源部２１は、例えば、表示部１００ａの外枠に沿って複数配置され、線状に発光面を構成した光源ユニットを構成する。光源部２１は、コントローラ３の制御に従って、光強度や色が制御される。なお、図２では、単一の光源部２１が複数箇所に配置されている構成例を示しているが、一カ所に多重に光源部２１を配置してもよいことは勿論である。
【００２７】
光拡散板２４は、光源部２１から発せられた照明光Ｌを拡散する。この光拡散板２４は、観察者Ｐにより知覚される輝度が、表示部１００ａから離れるほど滑らかに減少するように透過率が設定されている。すなわち、光拡散板２４は、照明光Ｌの強度に応じて一律の透過率となっている。
【００２８】
光拡散板２４は、図１に示したように、ディスプレイ１００の表示部１００ａを囲うように配置される。光拡散板２４は、観察者Ｐの視野特性を考慮した面積を有している。光拡散板２４は、観察者Ｐがディスプレイ１００から所定距離だけ離れてディスプレイ１００に正対した視点位置において、観察者Ｐの誘導視野又は補助視野の一部を含む大きさとなっている。
【００２９】
なお、光拡散板２４は、眼への負担感を低減するため、生体への影響が大きいとされる短波長の成分を抑制するような特性を有するものであってもよい。
【００３０】
観察者Ｐの視点から表示部１００ａを見た場合に、表示部１００ａに照明光Ｌの映り込みがあると映像を見る快適性が損なわれる。この映り込みを低減するため、表示部１００ａに反射防止用フィルターを重ねてもよく、照明光Ｌの配光状態を調節してもよい。
【００３１】
つぎに、観察者Ｐの視野特性と周辺照明部２との関係について説明する。
【００３２】
観察者Ｐ（人間）は、図６に示すような視野特性を有している。観察者Ｐの視野は、概ね５つに分類される。図中の（ａ）は網膜上の中心窩に視細胞（特に錐体細胞）が多く分布し視力や色の弁別などの視機能が最も優れた弁別視野である。この弁別視野は数度以内の範囲である。（ｂ）は、眼球運動だけで対象を捉えられノイズの中から目的とする対象を受容できる有効視野である。この有効視野は、左右に約１５度、上に約８度、下に約１２度以内の範囲である。（ｃ）は、頭部の運動が伴うことで無理なく対象を注視できる注視安定視野である。この注視安定視野は、左右に３０〜４５度、上に２０〜３０度、下に２５〜４０度以内の範囲である。（ｄ）は、提示された対象の存在のみ判定でき人間の空間座標感覚に影響を与える誘導視野である。この誘導視野は、水平に３０〜１００度、垂直に２０〜８５度の範囲である。（ｅ）は、提示された対象への知覚は極度に低下し強い刺激などに注視動作を誘発させる程度の働きをする補助視野である。この補助視野は、水平に１００〜２００度、垂直に８５〜１３５度の範囲である。
【００３３】
このような観察者Ｐの視野範囲において、照明装置は、表示部１００ａの外枠から観察者Ｐの誘導視野から補助視野までの範囲内において観察者Ｐが光を知覚できない輝度まで低下させる。この観察者Ｐによって知覚される輝度の調整は、光源部２１や光拡散板２４の配置や照明装置によって照明光Ｌの強度の調整によって実現できる。したがって、周辺照明部２は、観察者Ｐが表示部１００ａから所定距離だけ離れた位置にいる場合において、誘導視野よりも大きく、少なくとも補助視野の一部を含むような大きさの光拡散板２４を有する。この所定距離は、例えば表示部１００ａの大きさが大きいほど、長く設定することが望ましい。
【００３４】
コントローラ３は、光源部２１を駆動するよう制御する制御部として機能する。コントローラ３は、操作部１から設定信号が供給される。コントローラ３は、設定信号が示す輝度に基づいて光源部２１から照射する照明光Ｌの強度を調整する。なお、コントローラ３は、表示部１００ａ又は表示部１００ａの周辺部分の少なくとも一方の輝度又は色度の少なくとも一方の値を用いて、表示部１００ａの外縁に隣接する光拡散板２４上の輝度を設定すればよい。
【００３５】
コントローラ３は、表示部１００ａの外枠に隣接する光拡散板２４の位置の輝度を、表示部１００ａの輝度と同等以下にする。また、コントローラ３は、表示部１００ａ周辺における光拡散板２４上の輝度を、操作部１により設定された輝度から観察者Ｐが光を知覚できない輝度まで次第に低下させる。コントローラ３は、誘導視野から補助視野の範囲内において観察者Ｐが光を知覚できない輝度にする。
【００３６】
また、コントローラ３は、観察者Ｐによって知覚される輝度を、滑らかに変化させることが望ましい。ここで、人の感覚量は刺激の対数に比例して知覚されることが知られている。したがって、コントローラ３は、感覚的に直線的減少と知覚される指数関数と同等か、より緩やかな減少率で連続的に輝度を低下させることが望ましい。
【００３７】
更に、コントローラ３は、表示部１００ａの周辺の光拡散板２４上の輝度を予め設定した上限値以下に制限することが望ましい。この上限値は、操作部１によって設定してもよい。表示部１００ａの輝度が高すぎる場合に光拡散板２４上の輝度を同等程度に高めると、眼への刺激は大きくなる。また、照明に要する消費電力も多くなる。この眼への刺激を抑制することを考慮すると、光拡散板２４上の最高輝度を所定の上限値以下に制限することが望ましい。例えば、光拡散板２４上の最高輝度は、２００カンデラ以下程度に制限することが望ましい。
【００３８】
更にまた、この照明装置において、コントローラ３は、ディスプレイ１００のうちの非表示部には照明光Ｌを照射しないようにすることが望ましい。ここで、表示部１００ａの外枠に非表示部分（幅の広い枠）があると、表示部１００ａとの輝度差が大きくなる。このため、非表示部分には照明光Ｌを投影しないようにする。照明装置は、光源部２１の配置によって非表示部分に照明光Ｌを照射することを回避してもよい。また、照明装置は、光拡散板２４によって表示部１００ａの外枠としての非表示部分を覆ってもよい。これによって、照明装置は、表示部１００ａと光拡散板２４との間にディスプレイ１００の非表示部分があっても、当該非表示部分があることによる眼への負担を抑制することができる。
【００３９】
なお、コントローラ３は、光拡散板２４上の輝度を、単調（直線的）に減少させてもよく、観察者Ｐにとって単調に明るさが減少しているように感じるように指数的に変化させてもよい。
【００４０】
また、コントローラ３は、表示部１００ａの色度や輝度が激しく変化する場合でも、周辺照明部２の色度や輝度の変化は緩やか又は変化しないようにしてもよい。これにより、周辺照明部２の照明光Ｌを知覚することによる眼への刺激を抑制できる。
【００４１】
図２又は図３の照明装置は、例えば操作部１によってディスプレイ１００がＯＮとされた時又は操作部１によって輝度が設定された時に、コントローラ３によって、光源部２１を駆動して照明光Ｌを照射させる。光源部２１から放射された照明光Ｌは、光拡散板２４によって拡散されて、観察者Ｐ側を照らす。光源部２１と光拡散板２４との距離及び角度に応じて、表示部１００ａから離れるに従って、照明光Ｌによる光拡散板２４上の輝度は滑らかに低下する。これにより、光拡散板２４の外端では、観察者Ｐに知覚されない程度の輝度となり、周囲の環境光と同化する。表示部１００ａの近傍の光拡散板２４上の輝度は、コントローラ３によって操作部１によって設定された輝度値を参照して、表示部１００ａの輝度に近い値となるように設定される。
【００４２】
これによって、照明装置は、図１、図４、図５に示したように、ディスプレイ１００の外枠付近は当該ディスプレイ１００と同程度の明るさを知覚させる。照明装置は、ディスプレイ１００周辺の照明光Ｌにより視認される光拡散板２４上の輝度を滑らかに減少させる。また、照明装置は、観察者Ｐの誘導視野から補助視野との範囲内で、観察者Ｐに照明光Ｌが知覚されないように光拡散板２４上の輝度を低下させる。
【００４３】
以上のように、この照明装置によれば、表示部１００ａの外枠から次第に輝度を低下させ、誘導視野から補助視野までの範囲内において観察者Ｐが光を知覚できない輝度にする。これにより、表示部１００ａとその周囲の明暗差による眼への負担感を低減できる。したがって、この照明装置によれば、表示部１００ａを見る観察者の疲労感を低減できる。
【００４４】
また、この照明装置によれば、表示部１００ａの周囲を当該表示部１００ａと同等以下の輝度にし、その更に周囲の輝度を次第に低下させるので、観察者Ｐにとって快適な環境で表示部１００ａを見ることができる。
【００４５】
更に、この照明装置によれば、表示部１００ａから広い範囲に亘って照明光Ｌを放射することなく、照明光Ｌのための消費電力を削減できる。
【００４６】
図３に示す照明装置は、図２の照明装置に対し、光拡散板２４を無くし、光遮蔽板２２に代えてスクリーン２５を配置している。このスクリーン２５は、光源部２１から発せられた照明光Ｌを観察者Ｐ側に反射する。これにより、照明装置は、スクリーン２５によって反射された照明光Ｌによって観察者Ｐにディスプレイ１００の周囲の光を知覚させる。このような照明装置であっても、図２の照明装置と同様の効果を発揮できる。
【００４７】
更に具体的には、照明装置は、図７乃至図１２に示すように、光拡散板２４又はスクリーン２５上の輝度を調整してもよい。この照明装置は、図中の中央にディスプレイ１００を配置した構成である。例えば、このディスプレイ１００はWUXGA（16：10、Wide Ultra XGA、Wide UXGA）であるとした。また、観察者Ｐの位置は、ディスプレイ１００から水平３２度（２６インチのディスプレイ１００を１ｍ離れて見ている）とした。この観察者Ｐの視点と表示部１００ａとの距離は、１６：９（フルハイビジョン）と１６：１０（WUXGA）で若干違うが、概ね表示画面としての表示部１００ａの縦方向長さの３倍であって、一般的に最適な視聴距離とした。これにより、表示部１００ａが、有効視野（３０度×２０度）を覆い、周辺照明部２が誘導視野及び少なくとも補助視野の一部を覆う。
【００４８】
照明装置は、図７に示すように、光拡散板２４又はスクリーン２５上の照明光Ｌの形状を、表示部１００ａの外形に相似させてもよい。また、照明装置は、直線的に明るさが低下しているように視覚的に感じるように、例えばγ２．２に従って次第に光拡散板２４又はスクリーン２５上の輝度を低下させてもよい。
【００４９】
照明装置は、図８に示すように、光拡散板２４又はスクリーン２５上の照明光Ｌの形状を、表示部１００ａの外形に相似させてもよい。また、照明装置は、直線的に光拡散板２４又はスクリーン２５上の輝度を低下させてもよい。
【００５０】
照明装置は、図９に示すように、光拡散板２４又はスクリーン２５上の照明光Ｌの形状を、表示部１００ａに外接する楕円に相似させてもよい。また、照明装置は、直線的に明るさが低下しているように視覚的に感じるように、例えばγ２．２に従って次第に光拡散板２４又はスクリーン２５上の輝度を低下させてもよい。
【００５１】
照明装置は、図１０に示すように、光拡散板２４又はスクリーン２５上の照明光Ｌの形状を、表示部１００ａに外接する楕円に相似させてもよい。また、照明装置は、直線的に光拡散板２４又はスクリーン２５上の輝度を低下させてもよい。
【００５２】
照明装置は、図１１に示すように、光拡散板２４又はスクリーン２５上の照明光Ｌの形状を、表示部１００ａに内接する楕円に相似させてもよい。また、照明装置は、直線的に明るさが低下しているように視覚的に感じるように、例えばγ２．２に従って次第に光拡散板２４又はスクリーン２５上の輝度を低下させてもよい。
【００５３】
照明装置は、図１２に示すように、光拡散板２４又はスクリーン２５上の照明光Ｌの形状を、表示部１００ａに内接する楕円に相似させてもよい。また、照明装置は、直線的に光拡散板２４又はスクリーン２５上の輝度を低下させてもよい。
【００５４】
図７乃至図１２のように光拡散板２４又はスクリーン２５上の輝度を変化させることにより、照明装置は、映像を見る観察者Ｐの眼への負担感を低減できる。また、照明装置は、図８，図１０，図１２に示すように光拡散板２４又はスクリーン２５上の輝度を直線的に低下することによって、視覚的に直線的に明るさを低下するよりも表示部１００ａ近傍での眼への負担感を低減できる。更に、図７又は図８に示すように光拡散板２４又はスクリーン２５上の照明光Ｌの形状を表示部１００ａの相似形にするよりも、図９乃至図１２に示すように楕円にすることによって、更に眼への負担感を低減できる。
【００５５】
更に、この照明装置は、観察者Ｐにより照明光Ｌを知覚させる範囲を調整するために、図１３又は図１４のような構成を有していてもよい。これらの照明装置は、光源部２１から発せられた光の配光性を制御するレンズ２６（２６Ａ、２６Ｂ）を有している。レンズ２６は、観察者Ｐが所定の視点位置から表示部１００ａを見たときに、照明光Ｌを観察者Ｐの補助視野まで知覚させるように照明光Ｌを配光する。なお、レンズ２６は、光源部２１ごとに設けてもよく、光源部２１の位置等に応じて特定の光源部２１のみに設けてもよい。
【００５６】
このような照明装置は、レンズ２６によって照明光Ｌの配光を調整でき、観察者Ｐの誘導視野から補助視野までの範囲内にて照明光Ｌが知覚されなくなるように輝度を低下できる。したがって、この照明装置によれば、観察者Ｐの誘導視野から補助視野の範囲内において観察者Ｐに知覚される輝度を十分に低下することができる。また、この照明装置によれば、誘導視野から補助視野までの範囲内において知覚されない程度に輝度を低下させるので、照明光Ｌの光束を抑制でき省電力化を実現でき、様々な光源に適用できる。
【００５７】
更にまた、この照明装置は、図１５に示すように、観察者Ｐ側が凹のドーム状に湾曲させた光拡散板２４Ａ’，２４Ｂ’（総称する場合には光拡散板２４’と呼ぶ）を備えていてもよい。同様に、照明装置は、図１６に示すように、観察者Ｐ側が凹のドーム状に湾曲させた２５Ａ’，２５Ｂ’（総称する場合にはスクリーン２５’と呼ぶ）を備えていてもよい。
【００５８】
光拡散板２４’又はスクリーン２５’は、図４及び図５，図９乃至図１２に示したように、観察者Ｐに知覚される照明光Ｌの形状が楕円となるような表面形状となっている。光拡散板２４’又はスクリーン２５’は、表示部１００ａの周辺の輝度の等高線を楕円形状とするように光源部２１との距離が調整されている。すなわち、図４及び図５に示したように、表示部１００ａの近傍の等輝度線は表示部１００ａに準じた形状とする。この等輝度線は、表示部１００ａから離れるに従って楕円形となる。
【００５９】
このような照明装置によれば、図６に示すように（ｄ）の誘導視野及び（ｅ）の補助視野が楕円形となっていることに対応して、照明光Ｌの等輝度線を楕円形にすることができる。したがって、この照明装置は、光拡散板２４’又はスクリーン２５’上の輝度の低下の仕方を、観察者Ｐの視覚特性に適合させることにより、更に眼への負担感を低減することができる。
【００６０】
更にまた、上述の照明装置は、表示部１００ａの外枠付近の色度を表示部１００ａの色度に合わせるように光源部２１を制御してもよい。これにより、照明装置は、表示部１００ａの近傍の輝度を表示部１００ａの輝度と同程度とすると共に、表示部１００ａの近傍の色度を表示部１００ａの色度と同程度にする。これにより、更に観察者Ｐの視覚への刺激を低減して眼の疲労感を抑制する。
【００６１】
このような照明装置は、例えば、周辺照明部２によって照明する光源部２１の色度を調整可能とする。このために、周辺照明部２は、複数色の光源部２１を組み合わせて搭載する。コントローラ３は、光源部２１ごとに光強度を制御することによって、光拡散板２４又はスクリーン２５上の色度を調整する。このとき、コントローラ３は、操作部１により設定された表示部１００ａの色度と同程度となるように、表示部１００ａの近傍の色度を調整する。なお、コントローラ３は、表示部１００ａの色合いが白色から相当離れている場合には、周辺照明部２における色度を表示部１００ａに合うように設定してもよい。
【００６２】
また、コントローラ３は、表示部１００ａから離れるほど、周辺照明部２における色度を観察者Ｐにとって知覚されにくい色度に変化させてもよい。これにより、照明装置は、誘導視野から補助視野の間で輝度を観察者Ｐに知覚されない輝度とすると同時に、観察者Ｐに知覚されない色とすることができる。
【００６３】
このような照明装置によれば、照明光Ｌの色を調整可能とすることによって、更に観察者Ｐの眼への負担感を低減して、観察者Ｐの疲労感を抑制できる。また、この照明装置によれば、高齢者などの視覚特性に合わせたり没入感を高めたりするために、表示部１００ａの色味を変化させた場合であっても、当該表示部１００ａの変化に応じて周辺照明部２における照明光Ｌの色も変更できる。
【００６４】
更にまた、この照明装置は、間接光により表示部１００ａの周辺を照射してもよい。この照明装置の周辺照明部２は、例えば図１７又は図１８に示すように、光拡散板２４やスクリーン２５に代えて、被照射部材３０を備えていてもよい。この被照射部材３０は、ディスプレイ１００の背面に配置された背面部３０ａ、ディスプレイ１００の上方に配置された上面部３０ｂ、ディスプレイ１００の下方に配置された下面部３０ｃが一体になっている。この被照射部材３０は、背面部３０ａを壁、下面部３０ｃを床、上面部３０ｂを天井によって構成してもよい。また、被照射部材３０は、ディスプレイキャビネット等であってもよい。
【００６５】
また、この照明装置は、図１７に示すように、被照射部材３０に向けて照明光を照射する複数の光源部２１Ａ，２１Ｂ（以下、総称する場合には光源部２１と呼ぶ。）を備える。光源部２１Ａは、主としてディスプレイ１００の上方に知覚される照明光ＬＡを投影する。光源部２１Ｂは、主としてディスプレイ１００の下方に知覚される照明光ＬＢを投影する。なお、光源部２１は図示した以外に複数個備えていてもよい。また、光源部２１は、被照射部材３０としての壁、床、天井、ディスプレイキャビネットなどの形状によって照明光Ｌによる影が発生する場合がある。この場合、眼への負担感が増すことを抑制するために、光源部２１の配置を変更するなどして、周辺に不均一な影が生じないようにすることが望ましい。
【００６６】
これらの光源部２１Ａ，２１Ｂの光照射方向には、レンズ２６Ａ，２６Ｂが配置されている。これらレンズ２６Ａ，２６Ｂを設けることによって、照明光ＬＡ，ＬＢの照明範囲を制限する。レンズ２６Ａ，２６Ｂは、観察者Ｐが所定の視点位置から表示部１００ａを見たときに、照明光Ｌを観察者Ｐの誘導視野から補助視野まで知覚させるよう設置されている。
【００６７】
このような照明装置は、観察者Ｐが表示部１００ａを見るときに、操作部１によって表示部１００ａ又は表示部１００ａの近傍の輝度又は色度を設定する。コントローラ３は、操作部１による設定に基づいて、光源部２１から発する照明光Ｌの強度を調整する。照明光Ｌは一旦被照射部材３０の背面部３０ａに投影され、間接光として観察者Ｐに知覚される。これによって、表示部１００ａの近傍には当該表示部１００ａと同等以下の輝度又は色度の間接光を知覚させることができる。また、表示部１００ａから離れるほど次第に輝度が低下する間接光を知覚させ、観察者Ｐの誘導視野から補助視野の範囲内にて観察者Ｐが知覚できなくなる輝度まで低下させることができる。
【００６８】
この照明装置は、背面部３０ａを壁、下面部３０ｃを床、上面部３０ｂを天井によって構成した場合には、各部の分光反射率に基づいて照明光Ｌを補正することが望ましい。また、被照射部材３０としての壁、床、天井、ディスプレイキャビネットなどの分光反射特性が適切でない場合には、適切な特性を持つシートで覆ってもよい。
【００６９】
以上のように、この照明装置によれば、観察者Ｐに知覚される光を間接光とすることにより、更に眼への刺激を低減して、眼の疲労感を低減できる。また、この照明装置によれば、光源部２１の配置など、設置上の自由度が高い。
【００７０】
また、他の構成例としての図１８に示す照明装置は、表示部１００ａの背面に光源部２１及びレンズ２６を設けている。光源部２１は、レンズ２６を介して、被照射部材３０の背面部３０ａに照明光Ｌを照射する。この照明光Ｌは、レンズ２６によって拡散されて背面部３０ａに照射される。レンズ２６は、照明光Ｌを規制することによって、表示部１００ａの近傍から離れるに従って次第に観察者Ｐに知覚される輝度を低下させ、観察者Ｐの誘導視野から補助視野の範囲内において輝度が知覚されないようにする。このような構成であっても、図１７の照明装置と同様に、更に眼への刺激を低減して、眼の疲労感を低減できる。
【００７１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７２】
１  操作部１
２  周辺照明部（照明部）
３  コントローラ（制御部）
２１  光源部（照明部）
２２、２３  光遮蔽板（照明部）
２４  光拡散板（照明部）
２５  スクリーン（照明部）
２６  レンズ（照明部）
３０  被照射部材（照明部）
１００  ディスプレイ（表示装置）
【図１】
2014026094.tif 000003
【図２】
2014026094.tif 000004
【図３】
2014026094.tif 000005
【図４】
2014026094.tif 000006
【図５】
2014026094.tif 000007
【図６】
2014026094.tif 000008
【図７】
2014026094.tif 000009
【図８】
2014026094.tif 000010
【図９】
2014026094.tif 000011
【図１０】
2014026094.tif 000012
【図１１】
2014026094.tif 000013
【図１２】
2014026094.tif 000014
【図１３】
2014026094.tif 000015
【図１４】
2014026094.tif 000016
【図１５】
2014026094.tif 000017
【図１６】
2014026094.tif 000018
【図１７】
2014026094.tif 000019
【図１８】
2014026094.tif 000020